(57)【要約】      （修正有）【課題】折り畳みテントを広げたり、まとめたりするのを簡便に実現する折り畳みテント用回転開錠式センターロック装置を提供する。【解決手段】折り畳みテント用回転開錠式センターロック装置は、上ディスク部１、ロックレバー２、下ディスク部３及び回転部７を含み、回転部７は、下ディスク部３と回転嵌合しており、回転部７と下ディスク部３の間にロックレバーロック位置機構が設けられ、ロックレバー２上部と上ディスク部１は固定され、ロックレバー２底部は、下ディスク部３を貫通して、ロックレバーロック位置機構と嵌合し、回転部７の回転によってロックレバー２とロックレバーロック位置機構の施錠と開錠を実現する。【選択図】図１
0003221472.tif 000002
【実用新案登録請求の範囲】
【請求項１】
上ディスク部（１）、ロックレバー（２）、下ディスク部（３）及び回転部（７）を含み、前記回転部（７）は前記下ディスク部（３）と回転嵌合しており、前記回転部（７）と前記下ディスク部（３）の間にロックレバーロック位置機構が設けられ、前記ロックレバー（２）上部と前記上ディスク部（１）は固定され、前記ロックレバー（２）底部は、前記下ディスク部（３）を貫通して、前記ロックレバーロック位置機構と嵌合し、前記回転部（７）の回転によって前記ロックレバー（２）と前記ロックレバーロック位置機構の施錠と開錠を実現することを特徴とする折り畳みテント用回転開錠式センターロック装置。
【請求項２】
前記回転部（７）に一組の位置限定柱（７０１）が設けられ、前記下ディスク部（３）に一組の前記位置限定柱（７０１）と嵌合する曲がり溝（３０１）が設けられ、前記回転部（７）と前記下ディスク部（３）が嵌合した後、前記位置限定柱（７０１）は、前記曲がり溝（３０１）において位置限定し、前記曲がり溝（３０１）の弧度方向に沿って移動することができることを特徴とする請求項１に記載の折り畳みテント用回転開錠式センターロック装置。
【請求項３】
前記ロックレバーロック位置機構は、ロック位置プレート（５）と前記ロックレバー（２）に設けられるロックレバースロット（２０１）を含み、前記ロック位置プレート（５）中央部にロック穴（５０１）が設けられ、前記ロック位置プレート（５）側部に、押し出し弧面（５０３）が設けられ、前記回転部（７）に前記押し出し弧面（５０３）と嵌合する押出しテーブル（７０２）が設けられ、前記回転部（７）が回転する時、前記押出しテーブル（７０２）は、前記ロック位置プレート（５）の前記押し出し弧面（５０３）を押し出し、前記ロック位置プレート（５）を移動させて、前記ロックレバースロット（２０１）を前記ロック穴（５０１）に嵌め込むか、前記ロック穴（５０１）から外れて、前記ロックレバー（２）と前記ロックレバーロック位置機構の施錠と開錠を実現することを特徴とする請求項１に記載の折り畳みテント用回転開錠式センターロック装置。
【請求項４】
前記上ディスク部（１）に一組の折り畳みテントの上部骨組みロッド（１０）がヒンジ結合するのに用いられる上部骨組みロッドコネクタ部（１０１）が設けられることを特徴とする請求項１に記載の折り畳みテント用回転開錠式センターロック装置。
【請求項５】
前記下ディスク部（３）に一組の折り畳みテントの支持ロッド（１１）がヒンジ結合するのに用いられる支持ロッドコネクタ部（３０２）が設けられることを特徴とする請求項１に記載の折り畳みテント用回転開錠式センターロック装置。
【請求項６】
前記下ディスク部（３）中央部に前記ロックレバー（２）を貫通させるためのロックレバー穴（３０３）が設けられることを特徴とする請求項１に記載の折り畳みテント用回転開錠式センターロック装置。
【請求項７】
前記下ディスク部（３）と前記回転部（７）は、位置限定ネジ（４）によって接続され、前記位置限定ネジ（４）は、前記曲がり溝（３０１）を貫通した後、前記位置限定柱（７０１）とネジ接続されることを特徴とする請求項２に記載の折り畳みテント用回転開錠式センターロック装置。
【請求項８】
前記ロック位置プレート（５）と前記押し出し弧面（５０３）が対向する側は、位置限定面（５０４）であり、前記回転部（７）に前記位置限定面（５０４）と嵌合する位置限定テーブル（７０３）が設けられることを特徴とする請求項３に記載の折り畳みテント用回転開錠式センターロック装置。
【請求項９】
前記ロック穴（５０１）は、互いに連なる開錠穴（５０１１）と位置限定穴（５０１２）を含み、前記位置限定穴（５０１２）の直径は、前記開錠穴（５０１１）より小さく、前記ロックレバースロット（２０１）は、前記位置限定穴（５０１２）に嵌め込んで前記ロックレバー（２）の施錠を実現し、前記ロックレバースロット（２０１）は、前記開錠穴（５０１１）に入り込んで前記ロックレバー（２）の開錠を実現することを特徴とする請求項３または８に記載の折り畳みテント用回転開錠式センターロック装置。
【請求項１０】
前記ロック位置プレート（５）に前記ロック位置プレート（５）を元の位置に戻すことができる弾性部材（６）が設けられることを特徴とする請求項３または８に記載の折り畳みテント用回転開錠式センターロック装置。
【考案の詳細な説明】
【技術分野】
【０００１】
本発明は、折り畳みテントの技術分野に属し、具体的に、折り畳みテント用回転開錠式センターロック装置に関する。
【背景技術】
【０００２】
折り畳みテントは使用時に広げ、使用しない時は、折り畳んで小さくすることができ、日よけ、雨よけ、携帯に便利という利点を有し、日常生活に広く用いられている。
【先行技術文献】
【特許文献】
【０００３】
【特許文献１】中国公告番号ＣＮ２０６８８８６６５Ｕ
【０００４】
実用新案文献１では、折り畳みテントの展開固定装置及び折り畳みテントを公開している。この折り畳みテントの展開固定装置は、支持ロッドと、ベースと、伸縮可能なガイドロッドと、を含む。前記支持ロッドの一端は折り畳みテントの上部骨組みロッドとヒンジ連結され、支持ロッドの他端はベースとヒンジ連結され、前記ガイドロッドの一端は折り畳みテントの上部コネクタと接続され、ガイドロッドの他端はベースと接続され、上部骨組みロッドの一端は上部コネクタとヒンジ連結され、前記ベースとガイドロッドに相互に嵌合するロック機構が設けられ、折り畳みテントを展開して固定する時、前記ベースとガイドロッドは、ロック機構によって施錠される。前記ロック機構は、ガイドロッド側壁に設けられるポートと、前記ベースに設けられるボタンと、前記ボタンに設けられ、ポートに嵌合させるためのピンと、前記ボタンに接続され、ボタンに弾性力を与えてピンをポートに挿入させるための弾性部材と、を含む。
【０００５】
この折り畳みテントは、折り畳みテントの展開固定装置に用いられ、折り畳みテントの操作手順を簡略化する。しかしながら、この折り畳みテントのロック機構が採用するのは、ボタン式の開錠構造であり、該構造を採用すると、展開固定装置全体の構造を相対的に複雑にし、ボタンを押して開錠するプロセスにボタンキー等の構造を追加で設置する必要があり、全体の外観に影響し、開錠の安定性は悪い。
【考案の概要】
【考案が解決しようとする課題】
【０００６】
背景技術に存在する課題について、本発明の目的は、折り畳みテント用回転開錠式センターロック装置を提供する技術案を設計することである。
【課題を解決するための手段】
【０００７】
前記折り畳みテント用回転開錠式センターロック装置は、ディスク、ロックレバー、下ディスク部及び回転部を含み、前記回転部はディスクと回転嵌合しており、前記回転部と下ディスク部の間にロックレバーロック位置機構が設けられ、前記ロックレバー上部と上ディスク部は固定され、前記ロックレバー底部は、下ディスク部を貫通して、ロックレバーロック位置機構と嵌合し、前記回転部の回転によってロックレバーとロックレバーロック位置機構の施錠と開錠を実現することを特徴とする。
【０００８】
前記折り畳みテント用回転開錠式センターロック装置は、前記回転部に一組の位置限定柱が設けられ、前記下ディスク部に、一組の位置限定柱と嵌合する曲がり溝が設けられ、前記回転部と下ディスク部が嵌合した後、前記位置限定柱は、曲がり溝において位置限定し、曲がり溝の弧度方向に沿って移動することができることを特徴とする。
【０００９】
前記折り畳みテント用回転開錠式センターロック装置は、前記ロックレバーロック位置機構は、ロック位置プレートとロックレバーに設けられるロックレバースロットを含み、前記ロック位置プレート中央部にロック穴が設けられ、前記ロック位置プレートの側部に、押し出し弧面が設けられ、前記回転部に、押し出し弧面と嵌合する押出しテーブルが設けられ、前記回転部が回転する時、前記押出しテーブルは、ロック位置プレートの押し出し弧面を押し出し、前記ロック位置プレートを移動させて、前記ロックレバースロットをロック穴に嵌め込むか、ロック穴から外れて、ロックレバーとロックレバーロック位置機構の施錠と開錠を実現する。
【００１０】
前記折り畳みテント用回転開錠式センターロック装置は、前記上ディスク部に一組の折り畳みテントの上部骨組みロッドがヒンジ結合するのに用いられる上部骨組みロッドコネクタ部が設けられることを特徴とする。
【００１１】
前記折り畳みテント用回転開錠式センターロック装置は、前記下ディスク部に一組の折り畳みテントの支持ロッドがヒンジ結合するのに用いられる支持ロッドコネクタ部が設けられることを特徴とする。
【００１２】
前記折り畳みテント用回転開錠式センターロック装置は、前記下ディスク部中央部にロックレバーを貫通させるためのロックレバー穴が設けられる。
【００１３】
前記折り畳みテント用回転開錠式センターロック装置は、前記下ディスク部と回転部は、位置限定ネジによって接続され、前記位置限定ネジは、曲がり溝を貫通した後、位置限定柱とネジ接続されることを特徴とする。
【００１４】
前記折り畳みテント用回転開錠式センターロック装置は、前記ロック位置プレートと押し出し弧面が対向する側は、位置限定面であり、前記回転部に、位置限定面と嵌合する位置限定テーブルが設けられることを特徴とする。
【００１５】
前記折り畳みテント用回転開錠式センターロック装置は、前記ロック穴は、互いに連なる開錠穴と位置限定穴を含み、前記位置限定穴の直径は開錠穴より小さく、前記ロックレバースロットは、位置限定穴に嵌め込んでロックレバーの施錠を実現し、前記ロックレバースロットは、開錠穴に入り込んでロックレバーの開錠を実現することを特徴とする。
【００１６】
前記折り畳みテント用回転開錠式センターロック装置は、前記ロック位置プレートにロック位置プレートを元の位置に戻すことができる弾性部材が設けられることを特徴とする。
【考案の効果】
【００１７】
上記折り畳みテント用回転開錠式センターロック装置は、設計が合理的で、使用過程において、回転部を回転するだけで、ロックレバーとロックレバーロック位置機構の施錠及び開錠を実現でき、折り畳みテントを広げたり、まとめたりするのを簡便に実現する。
【００１８】
背景技術に対して、本発明は、以下の有益な効果を有する。
１）本発明のロックレバーロック位置機構は、ロックプレートとロックレバースロット構造であり、構造は簡単で、装着し易く、生産コストを大きく下げる。
２）本発明のロックレバーロック位置機構は、いずれも下プレートと回転部内にあり、隠蔽性が良く、外部アクセサリを併用する必要が無く、全体の外観に影響しない。
【図面の簡単な説明】
【００１９】
本考案の上述した特徴と利点を更に明確化するために、以下、幾つかの実施形態を挙げて図面と共に詳細な内容を説明する。
【００２０】
【図１】本発明の構造分解立体概略図である。
【図２】本発明の全て組み立てた構造概略図である。
【図３】本発明のロックレバーロック状態の構造概略図である。
【図４】本発明の回転部とロック位置プレートの嵌合構造概略図である。
【図５】本発明のロック位置プレートの構造概略図である。
【図６】本発明の使用状態概略図である。
【考案を実施するための形態】
【００２１】
以下に明細書図面と併せて本発明を更に説明する。
【００２２】
図１と２に示すように、折り畳みテント用回転開錠式センターロック装置は、上ディスク部１、ロックレバー２、下ディスク部３と回転部７を含む。回転部７は、下ディスク部３と回転嵌合しており、回転部７と下ディスク部３の間にロックレバーロック位置機構が設けられ、ロックレバー２上部と上ディスク部１は固定され、ロックレバー２底部は、下ディスク部３を貫通して、ロックレバーロック位置機構と嵌合し、前記回転部７の回転によってロックレバー２とロックレバーロック位置機構の施錠と開錠を実現する。
【００２３】
上ディスク部１中央部は、ロックレバー２に接続するのに用いられ、接続方式は、ネジ接続等を用いてもよい。上ディスク部１の外周に一組の上部骨組みロッドコネクタ部１０１が設けられ、該上部骨組みロッドコネクタ部１０１は、折り畳みテントの上部骨組みロッド１０とヒンジ連結嵌合するのに用いられる。
【００２４】
ロックレバー２は、円柱柱であり、当然ながら、その形状は限定されず、四角いロッド等であってもよい。ロックレバー２の底部にロックレバースロット２０１が設けられる。ロックレバースロット２０１は、ロックレバー２の底部に、旋削してリングスロットを１つ形成するのが好ましい。  
【００２５】
下ディスク部３中央部に、ロックレバー２を貫通させるためのロックレバー穴３０３が設けられる。下ディスク部３に、一組の支持ロッドコネクタ部３０２が設けられ、該支持ロッドコネクタ部３０２は、折り畳みテントの支持ロッド１１とヒンジ連結嵌合するのに用いられる。回転部７中央部に、ロックレバー底部リザーブスロット７０４が設けられ、ロックレバー２と回転部７が詰まるのを防止する。
【００２６】
回転部７と下ディスク部３は、回転嵌合して、以下の構造を実現できる。回転部７に一組の位置限定柱７０１が設けられ、下ディスク部３に一組の位置限定柱７０１と嵌合する曲がり溝３０１が設けられ、回転部７と下ディスク部３が嵌合した後、位置限定柱７０１は、曲がり溝３０１において位置限定し、曲がり溝３０１の弧度方向に沿って移動することができ、両者の間の回転を実現する。下ディスク部３と回転部７は、位置限定ネジ４によって接続され、位置限定ネジ４は、曲がり溝３０１を貫通した後、位置限定柱７０１とネジ接続され、両者の間の固定を実現し、回転過程において両者は外れない。当然ながら、位置限定柱７０１と曲がり溝３０１の位置は、相互に置き換えてもよく、回転部７に曲がり溝３０１を設け、下ディスク部３に位置限定柱７０１を設けてもよい。位置限定柱７０１と曲がり溝３０１の取り付け位置は、異なってもよい。例えば、位置限定柱７０１を回転部７の上面に設けてもよく、回転部７の側面に設けてもよい。同様に、曲がり溝３０１の取り付け位置は、位置限定柱７０１の位置の違いに基づき調整する。好ましい構造として、回転部７の上面に４つの位置限定柱７０１を設け、同様に、下ディスク部３と位置限定柱７０１の対応する箇所に４つの曲がり溝３０１を設ける。
【００２７】
図３、４と５に示すように、ロックレバーロック位置機構は、ロック位置プレート５とロックレバースロット２０１を含む。ロック位置プレート５にロック穴５０１が設けられ、ロック位置プレート５に押し出し弧面５０３が設けられ、回転部７に押し出し弧面５０３と嵌合する押出しテーブル７０２が設けられ、押出しテーブル７０２は、好ましくは曲げボスである。前記回転部７が回転する時、押出しテーブル７０２は、ロック位置プレート５の押し出し弧面５０３を押し出し、ロック位置プレート５を移動させて、前記ロックレバースロット２０１をロック穴５０１に嵌め込むか、ロック穴５０１から外れて、ロックレバー２とロックレバーロック位置機構の施錠と開錠を実現する。当然ながら、ロック位置プレート５を元の位置に戻すことができるように、ロック位置プレート５にロック位置プレート５を元の位置に戻すことができる弾性部材６が設けられる。該弾性部材６は、圧縮バネであってもよい。回転部７の移動位置を限定するために、ロック位置プレート５と押し出し弧面５０３が対向する側は、位置限定面５０４であり、回転部７に位置限定面５０４と嵌合する位置限定テーブル７０３が設けられ、前記回転部７がある程度回転した後、位置限定面５０４と位置限定テーブル７０３が嵌合して、ロック位置プレート５が過度に移動することを防止する。好ましい構造として、ロック穴５０１は、互いに連なる開錠穴５０１１と位置限定穴５０１２を含み、位置限定穴５０１２の直径は、開錠穴５０１１より小さく、ロックレバースロット２０１は、位置限定穴５０１２に嵌め込んでロックレバー２の施錠を実現し、ロックレバースロット２０１は、開錠穴５０１１に入り込んでロックレバー２の開錠を実現する。好ましい構造として、上記押出しテーブル７０２と位置限定テーブル７０３と位置限定柱７０１は１つに結合し、位置限定柱７０１の外周にボスを設け、押出しテーブル７０２と位置限定テーブル７０３を形成する。当然ながら、位置限定柱７０１を直接押出しテーブル７０２又は位置限定テーブル７０３として使用してもよい。
【００２８】
上記折り畳みテント用回転開錠式センターロック装置の動作原理は、以下の通りである。開錠状態では、ロックレバー２のロックレバースロット２０１は、開錠穴５０１１に位置する。ロックレバー２を施錠する必要がある時、回転部７を回転し、回転部７の押出しテーブル７０２が回転し、ロック位置プレート５の押し出し弧面５０３を押し出し、ロック位置プレート５は、回転移動し、ロックレバースロット２０１を位置限定穴５０１２に嵌め込み、ロックレバー２の施錠を実現し、ロックレバー２の施錠が完了する時、弾性部材６の作用の下、ロック位置プレート５は元の位置に戻る。ロックレバー２を開錠する必要がある時、同様に、回転部７を回転させ、回転部７の押出しテーブル７０２が回転し、ロック位置プレート５の押し出し弧面５０３を押し出し、ロック位置プレート５は、回転移動し、位置限定穴５０１２とロックレバースロット２０１を外して、ロックレバー２の開錠を実現し、ロックレバー２の開錠が完了する時、弾性部材６の作用の下、ロック位置プレート５は元の位置に戻る。
【００２９】
図６に示すように、該折り畳みテント用回転開錠式センターロック装置を取り付ける時、上ディスク部１の上部骨組みロッドコネクタ部１０１に上部骨組み部材１０がヒンジ連結され、上部骨組み部材１０の他端にアウトリガー８を接続し、アウトリガー８の間は、設置されたヒンジ連結ビーム９によって接続される。下ディスク部３の支持ロッドコネクタ部３０２に支持ロッド１１がヒンジ連結され、支持ロッド１１の他端は、上部骨組み部材１０とヒンジ連結嵌合される。折り畳みテント用回転開錠式センターロック装置によって、折り畳みテントの施錠と開錠を速やかに実現できる。
【００３０】
最後に説明するのは、上記各実施形態は、本発明の技術案を説明するためだけのものであり、本発明を限定するものではない。上記各実施形態を参照して、本発明の詳細な説明を行っているが、当業者は、上記各実施形態に記載の技術案を補正、又は、その一部若しくは全ての技術的特徴を同等の置換を行ってもよく、これらの補正又は置換は、対応する技術案の本質を、本発明の各実施形態の技術案の範囲から外させないことを理解できる。
【産業上の利用可能性】
【００３１】
設計が合理的で、回転部を回転するだけで、ロックレバーとロックレバーロック位置機構の施錠及び開錠を実現でき、折り畳みテントの展開と折り畳みを簡便に実現する折り畳みテント用回転開錠式センターロック装置。
【符号の説明】
【００３２】
１：上ディスク部
１０１：上部骨組みロッドコネクタ部
２：ロックレバー
２０１：ロックレバースロット
３：下ディスク部
３０１：曲がり溝
３０２：支持ロッドコネクタ部
３０３：ロックレバー穴
４：位置限定ネジ
５：ロック位置プレート
５０１：ロック穴
５０２：弾性部材接続部
５０３：押し出し弧面
５０４：位置限定面
５０１１：開錠穴
５０１２：位置限定穴
６：弾性部材
７：回転部
７０１：位置限定柱
７０２：押出しテーブル
７０３：位置限定テーブル
７０４：ロックレバー底部リザーブスロット
８：アウトリガー
９：ヒンジ連結ビーム
１０：上部骨組み部材
１１：支持部材
【図１】
0003221472.tif 000003
【図２】
0003221472.tif 000004
【図３】
0003221472.tif 000005
【図４】
0003221472.tif 000006
【図５】
0003221472.tif 000007
【図６】
0003221472.tif 000008